(57)【特許請求の範囲】
【請求項１】
開口枠に取付けられる開口枠側半部及びドア端部に取付けられるドア側半部を備え、開口枠側半部に設けられた少なくとも１本の鉛直軸、及びその鉛直軸に外嵌されるところの、ドア側半部に設けられた少なくとも１本の鉛直軸筒を介して、ドア側半部が鉛直軸の周りに回動可能に連結され、それにより開口枠に対してドアが回動自在に保持されるよう構成された蝶番であって、
前記ドア側半部は、ドア端部に密着して取付けられるドア側ベースプレートと、及びそのドア側ベースプレートの鉛直２等分線上に、その周りに回動可能に、基端が支持されると共に、先端に前記鉛直軸筒が一体に取付けられたドア側回動プレートと、を備え、かつドア側回動プレートがドア側ベースプレートのドア表側半面又はドア裏側半面に密着して固定可能に構成されていることを特徴とする蝶番。
【請求項２】
前記少なくとも１本の鉛直軸は開口枠側半部に固定されていることを特徴とする請求項１に記載の蝶番。
【請求項３】
前記開口枠側半部が、開口枠に密着して取付けられる開口枠側ベースプレートと、及びその開口枠側ベースプレートの鉛直２等分線上に、その周りに回動自在に、基端が支持されると共に、先端に前記鉛直軸が突設された開口枠側回動プレートと、を備え、かつ開口枠側回動プレートが開口枠側ベースプレートの開口枠表側半面又は開口枠裏側半面に密着して固定可能に構成されていることを特徴とする請求項１に記載の蝶番。
【請求項４】
開口枠に取付けられる開口枠側半部及びドア端部に取付けられるドア側半部を備え、開口枠側半部に設けられた少なくとも１本の鉛直軸、及びその鉛直軸に外嵌されるところの、ドア側半部に固定された少なくとも１本の鉛直軸筒を介して、ドア側半部が鉛直軸の周りに回動可能に連結され、それにより開口枠に対してドアが回動自在に保持されるよう構成された蝶番であって、
前記開口枠側半部は、開口枠に密着して取付けられる開口枠側ベースプレートと、及びその開口枠側ベースプレートの鉛直２等分線上に、その周りに回動自在に、基端が支持されると共に、先端に前記鉛直軸が突設された開口枠側回動プレートと、を備え、かつ開口枠側回動プレートが開口枠側ベースプレートの開口枠表側半面又は開口枠裏側半面に密着して固定可能に構成されていることを特徴とする蝶番。
【請求項５】
前記開口枠側半部に設けられた少なくとも１本の鉛直軸を前記ドア側半部に設け、かつ前記ドア側半部に設けられた少なくとも１本の鉛直軸筒を前記開口枠側半部に設けることを特徴とする請求項１乃至４のいずれかに記載の蝶番。
【発明の詳細な説明】
【０００１】
【発明の属する技術分野】
本発明は、開口枠及びドアに取付けられ、ドアを回動自在に保持する蝶番であって、ドアが裏返して使用されるときにも付け替え不要であり、左右兼用ドアに便利な蝶番に関する。
【０００２】
【従来の技術】
従来、ドアに使用される蝶番として、開口枠に取付けられる開口枠側半部とドア側に取付けられるドア側半部が分離可能であって、上下抜き差し可能なものが多い。この蝶番には、ドアが開かれる側からみて、ヒンジが左側に位置する「左吊元用」と右側に位置する「右吊元用」の２種類があるが、表裏いずれかの側に偏って付けられているので、「左吊元用」、「右吊元用」の兼用が不可能であった。
【０００３】
そのため、一般には、ドア発注時に、「左吊元用」又は「右吊元用」の指定が必要であり、開口枠、ドアに、予めそれに対応する蝶番が取付けられ、出荷されている。従って、梱包時には、開口枠、ドアのいずれに対しても、「左吊元用」又は「右吊元用」の表示がされるが、それでも配送時に誤配されることがあった。また、製品の種類も、各型について、「左吊元用」、「右吊元用」の２種類が必
要となるのであり、メーカーとしても、「左吊元用」、「右吊元用」の生産比率をどうするか、需要を予測しながら、操業を進めなければならなかった。
【０００４】
さらに、リフォーム等に伴って、一旦取付けられたドアの開き方向を変更する場合、上記従来の蝶番によっては、左右の変更は一切不可能である。
それに対して、出願人その他から左右兼用可能な蝶番が提案されている（実開平４−５２１７７、実開平４−４１０７５、実開昭５９−１７５５７３、実開昭５９−１４６４７７、実開昭５９−１２８８７６、実開昭５９−１０４７４、実開昭５８−１９５７６３、特開昭５７−６８４８２、特開昭５５−１６１７１、特開昭４８−５９２４３、実開平５−７５３７８、特開平１０−２４６０５５、実開平５−７５３７８）。
【０００５】
左右兼用可能な蝶番の一つとして旗蝶番と称されるものがある。これは、図１３に示すように、開口枠に取付けられる、鉛直軸Ｘを持つ開口枠側半部９１、ドアに取付けられる、鉛直軸Ｘに外嵌される鉛直軸筒Ｐを持つドア側半部９２が、いずれも裏返されるか、同じ面内での反転させられることによって、左右兼用可能に構成されている。
【０００６】
また図１４に示すもの（特開昭４８−５９２４３，特開昭５９−１２８８７６等）は、いずれも鉛直軸筒Ｐを持つ、２片の半部９５が、１本の鉛直軸Ｘを、鍔ＦＦを隔てて上下に共用するよう構成されており、図１５に示すように、開口枠１０又はドア２０に対していずれも裏返し、同じ面内での反転によって、軸筒の位置を変更可能に構成されている。
これは、ドア側半部がドアの表裏を２等分する平面に対して対称に形成され、ドアの表裏いずれの側にも偏らず付けられているため、ドアを鉛直中心線を軸に裏返し、左右逆にされ、鉛直軸Ｘ、鉛直軸筒Ｐが常にドアが開かれる側に来るよう取付けられれば、「左吊元用」、「右吊元用」いずれにも転換可能である。
【０００７】
すなわち、それによれば、例えば、ドアに一旦取付けられたもので、ドアの開き方向の変更が必要になった場合、先ずドア側半部は、その固定用のネジが全部取り外され、ドアから離された後、反転等され、再びドアに取付けられる。以上のようにして、ドアの開きの方向の変更はできるが、それには、上述のように、全ての固定用のネジ全部の取り外し、再度取付け等、かなりの手数が掛かるという問題点がある。
【０００８】
その他、この蝶番の取付け方向の変更によって、再度の取付け時にネジの締め付けが不十分であったり、同一の取付け穴が使用されると、ネジの保持力が大幅に低下してしまい、最悪の場合、ドアが脱落する恐れもある。
【０００９】
結局、現場でこの蝶番の取付け方向の変更作業を行うには、作業負担が大き過ぎ、特に短時間で、多数のドアを取付ける集合住宅の施工では、負担増は一層顕著となり、事実上不可能である。従って、左右兼用と称していても、実際には、工場出荷時の段階で、予めドアに取付けられ、梱包にそれぞれの「右吊元用」「左吊元用」といった、取付け方向を表示する従来からの処理が現在も一般的である。
【００１０】
なお、ネジの保持力低下に関して、補足すると、蝶番がドア本体に取付けられるネジ（強度上の理由から、３０〜４０ｍｍ程度の木ネジを４〜６個を必要とする。）は、完全に捩じ込まれていないと、ドアの開閉によって緩みが生じ、長期間使用していると脱落の恐れがあり、施工現場でこの作業を行うには、手回しのドライバーでは不十分で、電導ドライバー等の動力工具が必要である。作業者の熟練の程度によって、捩じ込み不十分で、強度の低下も懸念される。
さらに、蝶番が一旦取外され、再度取付けられるため、ドアには取付け穴の跡が多数残り、美観を損なうと同時に、木ネジ保持力が低下する恐れもある。
【００１１】
その他に、水平方向抜き差し型と称して、ドアのドア側半部に、ドアの表裏方向から開口枠側半部の水平片を挿入可能な挿入口が設けられた、左右兼用のものも提案されている（特開平９−３１７３００）。
これは、施工現場でのドアの開きの方向の変更の場合、ドアへのドア側半部の一旦撤去と再取付けといった作業は不要であるが、水平片の固定ネジに緩みが生じた場合に、ドアが脱落する恐れがある。また、開口枠側半部の位置変更は出来ないため、開口枠の左右兼用は不可能である。従って、開口枠は左右用が夫々別個に必要である。
【００１２】
【発明が解決しようとする課題】
そこで本発明の目的とするところは、上記従来例の欠点を解消し、「左吊元用」「右吊元用」を別個に製造する必要がなく、従って取付けミス等が起こり難い両者兼用の蝶番を提供することにある。
【００１３】
【課題を解決するための手段】
上記の目的を達するために、請求項１に記載の発明は、開口枠（１０）に取付けられる開口枠側半部（４０）及びドア（２０）端部に取付けられるドア側半部（５０）を備え、開口枠側半部（４０）に設けられた少なくとも１本の鉛直軸（Ｘ）、及びその鉛直軸（Ｘ）に外嵌されるところの、ドア側半部（５０）に設けられた少なくとも１本の鉛直軸筒（Ｐ）を介して、ドア側半部（５０）が、開口枠側半部（４０）に下から支えられると共に、鉛直軸（Ｘ）の周りに回動可能に連結され、それによって、開口枠（１０）に対してドア（２０）が回動自在に保持されるよう構成された蝶番であって、ドア側半部（５０）は、ドア（２０）端部に密着して取付けられるドア側ベースプレート（５１）と、及びそのドア側ベースプレート（５１）の鉛直２等分線上に、その周りに回動可能に、基端が支持されると共に、先端に鉛直軸筒（Ｐ）が一体に取付けられたドア側回動プレート（５２）と、を備え、かつドア側回動プレート（５２）がドア側ベースプレート（５１）のドア表側半面又はドア裏側半面に密着して固定可能に構成されている。
【００１４】
請求項２に記載の発明は、請求項１の発明の構成に加えて、少なくとも１本の鉛直軸（Ｘ）は開口枠側半部（４０）に固定されていることを特徴にする。
【００１５】
請求項３に記載の発明は、請求項１の発明の構成に加えて、開口枠側半部（４０）が、開口枠（１０）に密着して取付けられる開口枠側ベースプレート（４１）と、及びその開口枠側ベースプレート（４１）の鉛直２等分線上に、その周りに回動自在に、基端が支持されると共に、先端に鉛直軸（Ｘ）が突設された開口枠側回動プレート（４２）と、を備え、かつ開口枠側回動プレート（４２）が開口枠側ベースプレート（４１）の開口枠表側半面又は開口枠裏側半面に密着して固定可能に構成されているものである。
【００１６】
請求項４に記載の発明は、開口枠（１０）に取付けられる開口枠側半部（４０）及びドア（２０）端部に取付けられるドア側半部（５０）を備え、開口枠側半部（４０）に設けられた少なくとも１本の鉛直軸（Ｘ）、及びその鉛直軸（Ｘ）に外嵌されるところの、ドア側半部（５０）に固定された少なくとも１本の鉛直軸筒（Ｐ）を介して、ドア側半部（５０）が、開口枠側半部（４０）に下から支えられると共に、鉛直軸（Ｘ）の周りに回動可能に連結され、それによって、開口枠（１０）に対してドア（２０）が回動自在に保持されるよう構成された蝶番であって、開口枠側半部（４０）は、開口枠（１０）に密着して取付けられる開口枠側ベースプレート（４１）と、及びその開口枠側ベースプレート（４１）の鉛直２等分線上に、その周りに回動自在に、基端が支持されると共に、先端に鉛直軸（Ｘ）が突設された開口枠側回動プレート（４２）と、を備え、かつ開口枠側回動プレート（４２）が開口枠側ベースプレート（４１）の開口枠表側半面又は開口枠裏側半面に密着して固定可能に構成されているものである。
【００１７】
なお、上記請求項１乃至４に記載の発明において、開口枠側半部（４０）に設けられた少なくとも１本の鉛直軸（Ｘ）をドア側半部（５０）に設け、かつドア側半部（５０）に設けられた少なくとも１本の鉛直軸筒（Ｐ）を開口枠側半部（４０）に設けるようにしてもよい。
【００１８】
なお、上記の課題を解決するための手段に記載された括弧内の記号は図面及び後述する発明の実施の形態に記載された記号に対応するものである。
【００１９】
請求項１に記載の発明によれば、ドア側回動プレートに設けられた鉛直軸筒は、ドア側ベースプレートに対して回動自在に取付けられ、しかもいずれかの側で固定も可能であるので、ドア側回動プレートに設けられた鉛直軸筒をドア側ベースプレートのドア表裏いずれの半面側にも固定しないままで、発送、現場への搬入をすればよく、その後、左吊元用・右吊元用のいずれか現場の要求に応じて、ドア側回動プレートを回動させ、鉛直軸筒を、ドアの表裏のいずれかの側に移し、例えば１本のネジ等によって固定するだけで容易に対応可能で、現場でのネジ取り外し、裏返し、再度取付け等の作業が省略される。
【００２０】
請求項２に記載の発明によれば、請求項１の発明の作用効果に加えて、鉛直軸は開口枠側半部に固定されるため、その位置は、工場で予め決定される。もし、それが現場の要求に合わない場合は、ネジを取り外し、裏返し、再度取付けることによって、少し手数は掛かるが、要求に合わすことが可能である。いずれにしても、現場で混乱を起こし、作業に支障を与えることはない。
【００２１】
請求項３に記載の発明によれば、請求項１の発明の作用効果に加えて、開口枠側半部に設けられた鉛直軸は、開口部側ベースプレートに対して回動自在に取付けられ、しかもいずれかの側に固定可能であるので、鉛直軸を固定しないままで、発送、現場への搬入をすればよく、その後、左吊元用・右吊元用のいずれ現場の要求に応じて、開口枠側回動プレートを回動させ、鉛直軸を開口枠の表裏のいずれかの側に移し、例えば１本のネジ等によって固定するだけで容易に対応可能で、現場でのネジ取り外し、裏返し、再度取付け等の作業が省略される。
【００２２】
請求項４に記載の発明によれば、開口枠側半部に設けられた鉛直軸は、開口部側ベースプレートに対して回動自在に取付けられ、しかもいずれかの側に固定可能であるので、鉛直軸を固定しないままで、発送、現場への搬入をすればよく、その後、左吊元用・右吊元用のいずれ現場の要求に応じて、開口枠側回動プレートを回動させ、鉛直軸を開口枠の表裏のいずれかの側に移し、例えば１本のネジ等によって固定するだけで容易に対応可能で、現場でのネジ取り外し、裏返し、再度取付け等の作業が省略される。それに対して、鉛直軸筒はドア側半部に固定されるため、その位置は、工場で予め決定される。もし、それが現場の要求に合わない場合は、ネジを取り外し、裏返し、再度取付けることによって、少し手数は掛かるが、要求に合わすことが可能である。いずれにしても、現場で混乱を起こし、作業に支障を与えることはない。
【００２３】
【発明の実施の形態】
本発明の実施の形態例について図面を参照して説明すると、図１は本発明の実施の形態例を示す斜視図、図２は図１の取付け前の状態を示す斜視図、図３は本発明の種々の適用状態を示す模式的平面図、図４はドアの正面図である。
【００２４】
図４により、開口枠１０について先ず説明すると、ドア２０を回動可能に保持する上下一対の蝶番Ｈ，Ｈが付けられた蝶番側縦枠材１１と，ハンドルＬの回動によってドア２０から進退するラッチＲ１を受け入れ可能なラッチ受け具Ｒ２が付けられた、蝶番側縦枠材１１と同長のラッチ受け具側縦枠材１２と，両者の上端部間に挿入、結合された上枠材１３と，より構成される。
【００２５】
図１及び図２に示すように、蝶番Ｈは、開口枠１０に取付けられる開口枠側半部４０及びドア２０に取付けられるドア側半部５０よりなる。
また、開口枠側半部４０には、少なくとも１本（本実施形態例では１本）の鉛直軸Ｘが設けられている。ドア側半部５０には、鉛直軸Ｘに外嵌される、少なくとも１本（本実施形態例では１本）の鉛直軸筒Ｐが設けられている。この鉛直軸筒Ｐを介してドア側半部５０は、開口枠側半部４０に下から支えられると共に、鉛直軸Ｘの周りに回動可能に連結され、それによって、開口枠１０に対してドア２０が回動自在に保持されるよう構成されている。
【００２６】
さらに詳細に説明すると、開口枠側半部４０は、開口枠側ベースプレート４１及び開口枠側回動プレート４２よりなる。前者の開口枠側ベースプレート４１は、開口枠１０の端面に密着して、複数のネジによって取付けられる。その幅は、開口枠１０の幅に等しい。後者の開口枠側回動プレート４２は、開口枠側ベースプレート４１の鉛直２等分線上に、その周りに回動可能に、基端が支持されていると共に、先端には鉛直軸Ｘが突設されている。
【００２７】
ドア側半部５０は、ドア側ベースプレート５１及びドア側回動プレート５２よりなる。前者のドア側ベースプレート５１は、ドア２０の端面に密着して、複数のネジによって取付けられる。その幅は、ドア２０の端面の幅に等しい。後者のドア側回動プレート５２は、ドア側ベースプレート５１の鉛直２等分線上に、その周りに回動可能に、基端が支持されていると共に、先端には鉛直軸筒Ｐが設けられている。
【００２８】
開口枠側／ドア側回動プレート４２，５２は、図１及び図２に示すように、開口枠表裏／ドア表裏のいずれの側にも回動自在とされ、開口枠側／ドア側ベースプレート４１，５１の開口枠表裏／ドア表裏のいずれの側の半面に密着して固定可能にされている。
その固定の一例について説明すると、開口枠側／ドア側回動プレート４２，５２には、それぞれ１個の孔Ａ１が穿けられており、それに挿通された固定ネジＳが、開口枠側／ドア側ベースプレート４１，５１の開口枠表裏／ドア表裏の両側に穿けられたネジ孔Ａ２に螺着されるよう構成されている。
【００２９】
以上のように構成された蝶番によれば、鉛直軸Ｘ／鉛直軸筒Ｐを開口枠１０／ドア２０の表裏いずれの側にも固定しないままで、発送し、現場へ搬入することができる。その後、現場の要求が左吊元用・右吊元用いずれであっても、その要求に応じて、開口枠側／ドア側回動プレート４２，５２を鉛直軸Ｘ／鉛直軸筒Ｐと共にいずれの側へ移動することができ、しかもその移動は１本の固定ネジＳによって固定するだけで、図３に示すように、左吊元用・右吊元用のいずれへも容易に対応可能である。
【００３０】
一旦取付けられたドアが、リフォーム等に伴って、ドア２０の開き方向の変更が必要になる場合でも、それぞれ固定ネジＳを取外すだけで、開口枠側／ドア側回動プレート４２，５２が移動可能になり、それらを鉛直軸Ｘ／鉛直軸筒Ｐと共にドア２０の反対側へ移動し、１本の固定ネジＳによって固定すれば、ドアの開き方向を容易に変更可能である。従って、蝶番のみならず、開口枠、ドアの交換が一切不要となる。
【００３１】
さらに、吊元の変更が必要な場合、開口枠１０の取外し、再取付けが可能であれば、開口枠１０、ドア２０を裏返し、左右反転することによって、この要求に対応可能であるが、それが不可能である場合、新しい開口枠１０を準備すれば、ドア２０はそのまま使用可能である。従来例に比較して経費を大幅に低減することが可能である。
【００３２】
そのため、
（ア）製造の手間が半減する。
「左吊元用」「右吊元用」を別個に製造する必要がなくなり、受発注・保管・販売等の手間が著しく簡略化される。ドアは従来の左右兼用型であれば、そのまま適用可能である。
（イ）取付けミスが生じない。
たとえ間違ってセットされたものが、施工現場に送られることがあっても、容易に転換可能である。
【００３３】
（ウ）識別シールの添付が不要である。
施工終了後、その識別シールを撤去する手間が省けるし、識別シールを添付したことによる種々のトラブル（撤去せず、長期間貼ったままにしておくと、粘着剤がドア枠に固着して、剥がし難くなったり、粘着剤が残留して化粧部分を汚染したりする）が全て解消される。現場でのネジを取外し、裏返し、再度取付け等の作業が省略される。
（エ）リフォームへも低コストで対応可能である。
ドア２０の開き方向の変更が必要になる場合、蝶番のみならず、開口枠、ドアの交換が一切不要あり、吊元の変更が必要な場合でも、開口枠１０の取外し、再取付けが不可能であっても、新しい開口枠１０を準備すれば、ドア２０はそのまま使用可能である。経費を大幅に低減することが可能である。
【００３４】
以上は、開口枠側／ドア側半部４０，５０共に、開口枠側／ドア側回動プレート４２，５２が回動可能であるものであるが、図５に示すように、開口枠側／ドア側半部のうちのいずれか一方を、従来の対応する半部と同じに構成することもできる。ここでは、開口枠側半部４０を従来の対応する半部と同じ構成にしたものを例にして説明する。
すなわち、例えば、ドア側半部５０が上述のものと同構成であり、その作用は上述の通りであるが、開口枠側半部４０にかわる開口枠側半部６０が、図５に示すように、従来のそれと同じく鉛直軸Ｘが開口枠側半部６０に固定され回動不能の場合、開口枠側半部６０の鉛直軸Ｘの位置は、工場で予め決定されており、もし、それが現場の要求に合わない場合、ネジを取り外し、裏返し、再度取付けることによって、少し手数は掛かるが、要求に合わすことが可能である。
【００３５】
また、リフォーム等に伴って、ドア２０の開き方向の変更が必要になる場合、ドア側半部５０は、上述の通りであるが、開口枠側半部６０は、ネジを取り外し、裏返し、再度取付けることによって、少し手数は掛かるが、対応可能である。
【００３６】
さらに、吊元の変更が必要な場合、開口枠１０が利用可能である場合は、ドア側半部５０は、上述の通りであり、開口枠１０は、左右反転させ、必要に応じて、開口枠側半部６０のネジを取外し、裏返し、再度取付けによって、若干手数は掛かるが、対応可能である。それが不可能な場合は、新しい開口枠１０を準備すれば、ドア２０はそのまま使用可能であり、それでも従来例に比較して、経費を大幅に低減することが可能である。
【００３７】
次に、種々の変形例について図６及び図７を参照にして説明する。
図６は、ドア側ベースプレート５１に一対の鈎部Ｋ，Ｋが突設され、ドア側回動プレート５２に、その鈎部Ｋ，Ｋを通し、掛止める掛止孔Ｂが穿けられたものである。すなわちドア側ベースプレート５１にドア側回動プレート５２を重ねて一方の鈎部Ｋを掛止孔Ｂに挿通し、ドア側回動プレート５２に掛けることにより固定される。
また、図７は、ドア側ベースプレート５１のドア表裏側にそれぞれ上下にスライドするスライドストッパーＳＳを案内する鉛直案内溝を設け、スライドストッパーＳＳをドア側回動プレート５２側にスライドさせ上から押さえることによって固定される。
なお、図６，図７のいずれも開口枠側半部４０に適用可能である。
【００３８】
図８乃至図１１は、それぞれ、上下反転可能にされた、開口枠側半部／ドア側半部の鉛直軸／鉛直軸筒の変形例であって、図８は、開口枠側回動プレート６２に設けられた筒部Ｃから上下方向に進退する一対の鉛直軸Ｘ，Ｘが設けられ、それに対応して、ドア側回動プレート６７に上下一対の鉛直軸筒Ｐ，Ｐが設けられたもの、図９は、開口枠側回動プレート７２に設けられた２本の筒部Ｃ，Ｃから上下方向に進退する一対の鉛直軸Ｘ，Ｘが設けられ、それに対応して、ドア側回動プレート７７に１本の鉛直軸筒Ｐが設けられたものである。
【００３９】
さらに、図１０は、開口枠側回動プレート８２に、上下端を固定された１本の鉛直軸Ｘが設けられ、ドア側半部８５に、鉛直軸Ｘを、開いた状態で受け入れ、閉じることによって、それを囲繞する１本の開閉式鉛直軸筒Ｐ２が設けられたもの、図１１は、開口側側回動プレート４２の鉛直軸Ｘが、進退式なものである。なお、図１２は、外観改善のため、ドア側ベースプレート５１において露出した多数のネジの頭を覆うカバーＣＣである。
【００４０】
なお、本実施形態例において、開口枠側半部４０に設けられた少なくとも１本の鉛直軸Ｘをドア側半部５０に設け、かつドア側半部５０に設けられた少なくとも１本の鉛直軸筒Ｐを開口枠側半部４０に設けるようにしてもよい。
【００４１】
【発明の効果】
請求項１に記載の発明によれば、ドア側回動プレートに設けられた鉛直軸筒は、ドア側ベースプレートに対して回動自在に取付けられ、しかもいずれかの側で固定も可能であるので、ドア側回動プレートに設けられた鉛直軸筒をドア側ベースプレートのドア表裏いずれの半面側にも固定しないままで、発送、現場への搬入をすればよく、その後、左吊元用・右吊元用のいずれか現場の要求に応じて、ドア側回動プレートを回動させ、鉛直軸筒を、ドアの表裏のいずれかの側に移し、例えば１本のネジ等によって固定するだけで容易に対応可能で、現場でのネジ取り外し、裏返し、再度取付け等の作業が省略される。
【００４２】
これにより、「左吊元用」「右吊元用」を別個に製造する必要がなくなるので製造の手間が半減し、左右間違えて取付けることはないので施工も容易となる。さらに識別シールの添付も不要となり、またリフォームも低コストで対応可能である。
【００４３】
請求項２に記載の発明によれば、請求項１の発明の作用効果に加えて、鉛直軸は開口枠側半部に固定されるため、その位置は、工場で予め決定される。もし、それが現場の要求に合わない場合は、ネジを取り外し、裏返し、再度取付けることによって、少し手数は掛かるが、要求に合わすことが可能である。いずれにしても、現場で混乱を起こし、作業に支障を与えることはない。
また開口枠側回動プレートのふらつき等が防止される。
【００４４】
請求項３に記載の発明によれば、請求項１の発明の作用効果に加えて、開口枠側半部に設けられた鉛直軸は、開口部側ベースプレートに対して回動自在に取付けられ、しかもいずれかの側に固定可能であるので、鉛直軸を固定しないままで、発送、現場への搬入をすればよく、その後、左吊元用・右吊元用のいずれ現場の要求に応じて、開口枠側回動プレートを回動させ、鉛直軸を開口枠の表裏のいずれかの側に移し、例えば１本のネジ等によって固定するだけで容易に対応可能で、現場でのネジ取り外し、裏返し、再度取付け等の作業が省略される。
【００４５】
請求項４に記載の発明によれば、開口枠側半部に設けられた鉛直軸は、開口部側ベースプレートに対して回動自在に取付けられ、しかもいずれかの側に固定可能であるので、鉛直軸を固定しないままで、発送、現場への搬入をすればよく、その後、左吊元用・右吊元用のいずれ現場の要求に応じて、開口枠側回動プレートを回動させ、鉛直軸を開口枠の表裏のいずれかの側に移し、例えば１本のネジ等によって固定するだけで容易に対応可能で、現場でのネジ取り外し、裏返し、再度取付け等の作業が省略される。それに対して、鉛直軸筒はドア側半部に固定されるため、その位置は、工場で予め決定される。もし、それが現場の要求に合わない場合は、ネジを取り外し、裏返し、再度取付けることによって、少し手数は掛かるが、要求に合わすことが可能である。いずれにしても、現場で混乱を起こし、作業に支障を与えることはない。
またドア側回動プレートのふらつき等が防止される。
【図面の簡単な説明】
【図１】本発明の実施の形態例を示す斜視図である。
【図２】図１の開口枠，ドアへの取付け前の状態を示す斜視図である。
【図３】本発明の種々の適用状態を示す模式的平面図である。
【図４】ドアの正面図である。
【図５】本発明の第２の実施の形態例を示す斜視図である。
【図６】ドア側ベースプレートとドア側回動プレートとの固定例を示す平面図である。
【図７】ドア側ベースプレートとドア側回動プレートとの固定例を示す平面図である。
【図８】本発明の第３の実施の形態例を示す正面図である。
【図９】本発明の第４の実施の形態例を示す正面図である。
【図１０】本発明の第５の実施の形態例を示す斜視図である。
【図１１】本発明の第６の実施の形態例を示す斜視図である。
【図１２】本発明の第７の実施の形態例を示す正面図である。
【図１３】従来例を示す斜視図である。
【図１４】第２の従来例を示す斜視図である。
【図１５】図１４の取付け位置の変更経緯を示す斜視図である。
【符号の説明】
１０      開口枠
１１      蝶番側縦枠材
１２      ラッチ受け具側縦枠材
１３      上枠材
２０      ドア
４０      開口枠側半部
４１      開口枠側ベースプレート
４２      開口枠側回動プレート
５１      ドア側ベースプレート
５２      ドア側回動プレート
６０      開口枠側半部
６２      開口枠側回動プレート
６７      ドア側回動プレート
７２      開口枠側回動プレート
７７      ドア側回動プレート
８２      開口枠側回動プレート
８７      ドア側回動プレート
９１      開口枠側半部
９２      ドア側半部
９５      半部
Ａ１      孔
Ａ２      ネジ孔
Ｂ        掛止孔
Ｃ        筒部
ＣＣ      カバー
ＦＦ      鍔
Ｈ        蝶番
Ｋ        鈎部
Ｌ        ハンドル
Ｐ        鉛直軸筒
Ｐ２      開閉式鉛直軸筒
Ｒ１      ラッチ
Ｒ２      ラッチ受け具
Ｓ        固定ネジ
ＳＳ      スライドストッパー
Ｘ        鉛直軸
【図１】
0004137302.tif 000002
【図２】
0004137302.tif 000003
【図３】
0004137302.tif 000004
【図４】
0004137302.tif 000005
【図５】
0004137302.tif 000006
【図６】
0004137302.tif 000007
【図７】
0004137302.tif 000008
【図８】
0004137302.tif 000009
【図９】
0004137302.tif 000010
【図１０】
0004137302.tif 000011
【図１１】
0004137302.tif 000012
【図１２】
0004137302.tif 000013
【図１３】
0004137302.tif 000014
【図１４】
0004137302.tif 000015
【図１５】
0004137302.tif 000016